(57)【特許請求の範囲】
【請求項１】
液晶表示器と、前記液晶表示器に接続されその先端部に接点部が設けられ後記する保持部材の外側で折返される可撓性基板と、前記液晶表示器を保持する保持部材と、前記保持部材が取付けられるとともに板上に接点部が露出されたプリント基板と、前記プリント基板上の接点部と前記可撓性基板の接点部とを接続する導電線入り弾性体と、前記保持部材と前記可撓性基板との間に間挿され前記保持部材と前記可撓性基板とを形成された波形形状の複数の山で押圧する波形弾性体とを備え、前記可撓性基板は前記保持部材の外側で折返されるとともに前記波形弾性体によって付勢されて前記プリント基板と前記可撓性基板とが前記導電線入り弾性体を介して電気的に接続されることを特徴とする液晶表示器取付接続装置。
【請求項２】
裏面に位置決め用ボスを植立させると共に底部に引掛け爪を有する保持部材と、透明電極に導電接着剤を介して電気的導通がとられ且つ略コの字に屈曲される先端部に位置決め用孔と後記する導電線入り弾性体に接続される接点部が設けられた可撓性基板を備え、
前記保持部材の表側に、導光板と、内面に透明電極を有する一対の基板に液晶組成物が封入された液晶表示器を収納保持すると共に前記保持部材の裏側で前記位置決め用孔を前記ボスに挿通して固定され、一方、メインのプリント基板には発光素子と位置決め用孔と板上に露出された接点部が備えられ、
前記保持部材の位置決め用ボスを前記プリント基板の位置決め用孔および前記可撓性基板の位置決め用孔に挿通すると共に前記引掛け爪を前記プリント基板の所定位置に懸架させ且つ前記保持部材の裏面と前記可撓性基板との間に間挿され前記保持部材と前記可撓性基板とを形成された波形形状の複数の山で押圧する波形弾性体とで前記プリント基板に設けられた接点部と前記可撓性基板に設けられた接点部とを導電線入り弾性体により取付接続することを特徴とする液晶表示器取付接続装置。
【請求項３】
前記保持部材の裏面と前記可撓性基板との間に間挿される前記波形弾性体は、前記ボスを挟んで左右均等にされ、また、前記可撓性基板に設けられた接点部は、前記可撓性基板の短辺で左右均等にされることを特徴とする請求項２記載に液晶表示器取付接続装置。
【請求項４】
前記プリント基板に設けられた前記発光素子は前記保持部材の中に収納され、収納された後に前記発光素子から投射された放射光は前記保持部材に設けられた反射面を介して前記導光板に導かれることを特徴とする請求項２記載に液晶表示器取付接続装置。
【請求項５】
前記請求項１ないし請求項４に記載の液晶表示器取付接続装置を用いて取り付けられた液晶表示器を備える携帯電話装置。
【発明の詳細な説明】
【０００１】
【発明の属する技術分野】
本発明は、液晶表示器取付接続装置に関し、特に可撓性基板に形成された接続端子とプリント基板とを導電線入り弾性体を介して接続するにあたり、波形弾性体を保持部材と可撓性基板に間挿させて均質に取付接続しうるよう構成したものである。
【０００２】
【従来の技術】
従来の液晶表示器取付接続装置は、たとえば特開平9-288278号公報などに記載されているものが知られていた。すなわち、図４および図５に示されるように、従来の液晶表示器取付接続装置は、発光素子５からの光を導き液晶表示器１を背後から照らすための導光体となるバックライト３を液晶表示器１の背面に配置し、透明電極に導電接着剤７を介して電気的導通がとられた液晶表示器１と接続された可撓性基板２を略コの字に屈曲させ、介在部材６によりそれぞれを固定するとともに、前記可撓性基板２に形成された接続端子８は前記バックライト３の背面および外側に導出されそこで図示しないコネクタなどの接続部材に取付接続されるように構成されている。
【０００３】
【発明が解決しようとする課題】
このように従来の液晶表示器取付接続装置の構成においては、介在部材６によりバックライト３と可撓性基板２を固定していたため、この固定に伴う作業が必要になり、コスト増となるという問題があった。また、可撓性基板２に形成された接続端子８が外部に導出されてそこでコネクタ等に取付接続されるので、接続端子８とそれに接続されるコネクタを用意しなければならないという取付接続上の問題を有していた。
【０００４】
このような問題を解決するため本発明は、位置決め用ボスと引掛け爪を有する保持部材により液晶表示器と導光板と可撓性基板を保持できるようにし、さらに波形弾性体を保持部材と可撓性基板に間挿させ可撓性基板に形成された接続端子とプリント基板とを導電線入り弾性体を介して取付接続するようにして安価でかつ接続信頼性の高い液晶表示器取付接続装置を提供することを目的とするものである。
【０００５】
【課題を解決するための手段】
上記問題を解決するために本発明の液晶表示器取付接続装置は、液晶表示器と、前記液晶表示器に接続されその先端部に接点部が設けられ後記する保持部材の外側で折返される可撓性基板と、前記液晶表示器を保持する保持部材と、前記保持部材が取付けられるとともに板上に接点部が露出されたプリント基板と、前記プリント基板上の接点部と前記可撓性基板の接点部とを接続する導電線入り弾性体と、前記保持部材と前記可撓性基板との間に間挿され前記保持部材と前記可撓性基板とを形成された波形形状の複数の山で押圧する波形弾性体とを備え、前記可撓性基板は前記保持部材の外側で折返されるとともに前記波形弾性体によって付勢されて前記プリント基板と前記可撓性基板とが前記導電線入り弾性体を介して電気的に接続されることを特徴とする。
【０００６】
【発明の実施の形態】
本発明における請求項１記載の発明は、液晶表示器と、前記液晶表示器に接続されその先端部に接点部が設けられ後記する保持部材の外側で折返される可撓性基板と、前記液晶表示器を保持する保持部材と、前記保持部材が取付けられるとともに板上に接点部が露出されたプリント基板と、前記プリント基板上の接点部と前記可撓性基板の接点部とを接続する導電線入り弾性体と、前記保持部材と前記可撓性基板との間に間挿され前記保持部材と前記可撓性基板とを形成された波形形状の複数の山で押圧する波形弾性体とを備え、前記可撓性基板は前記保持部材の外側で折返されるとともに前記波形弾性体によって付勢されて前記プリント基板と前記可撓性基板とが前記導電線入り弾性体を介して電気的に接続されることを特徴とする液晶表示器取付接続装置としたものであり、保持部材と可撓性基板に間挿された波形弾性体で可撓性基板とプリント基板とを均質に付勢してプリント基板上の接点部と可撓性基板の接点部とを導電線入り弾性体を介して電気的に確実に接続することができるという作用を有する。
【０００７】
また、請求項２記載の発明は、裏面に位置決め用ボスを植立させると共に底部に引掛け爪を有する保持部材と、透明電極に導電接着剤を介して電気的導通がとられ且つ略コの字に屈曲される先端部に位置決め用孔と後記する導電線入り弾性体に接続される接点部が設けられた可撓性基板を備え、前記保持部材の表側に、導光板と、内面に透明電極を有する一対の基板に液晶組成物が封入された液晶表示器を収納保持すると共に前記保持部材の裏側で前記位置決め用孔を前記ボスに挿通して固定され、一方、メインのプリント基板には発光素子と位置決め用孔と板上に露出された接点部が備えられ、前記保持部材の位置決め用ボスを前記プリント基板の位置決め用孔および前記可撓性基板の位置決め用孔に挿通すると共に前記引掛け爪を前記プリント基板の所定位置に懸架させ且つ前記保持部材の裏面と前記可撓性基板との間に間挿され前記保持部材と前記可撓性基板とを形成された波形形状の複数の山で押圧する波形弾性体とで前記プリント基板に設けられた接点部と前記可撓性基板に設けられた接点部とを導電線入り弾性体により取付接続することを特徴とする液晶表示器取付接続装置としたものであり、プリント基板に設けられた接点部と可撓性基板に設けられた接点部とが適度の圧力で正確に取付接続されるという作用を有する。
【０００８】
また、請求項３記載の発明は、前記保持部材の裏面と前記可撓性基板との間に間挿される前記波形弾性体は、前記ボスを挟んで左右均等にされ、また、前記可撓性基板に設けられた接点部は、前記可撓性基板の短辺で左右均等にされることを特徴とする請求項２記載に液晶表示器取付接続装置としたものであり、プリント基板に設けられた接点部と可撓性基板に設けられた接点部とが正確にバランス良く取付接続しうるという作用を有する。
【０００９】
また、請求項４記載の発明は、前記プリント基板に設けられた前記発光素子は前記保持部材の中に収納され、収納された後に前記発光素子から投射された放射光は前記保持部材に設けられた反射面を介して前記導光板に導かれることを特徴とする請求項２記載に液晶表示器取付接続装置としたものであり、保持部材に設けられた反射面を介して発光素子からの放射光が導光板に導かれるという作用を有する。
【００１０】
また、請求項５記載の発明は、前記請求項１ないし請求項４に記載の液晶表示器取付接続装置を用いて取り付けられた液晶表示器を備える携帯電話装置としたものであり、携帯電話装置の液晶表示器を取り付けに際し、プリント基板に設けられた接点部と可撓性基板に設けられた接点部とが適度の圧力で正確に取付接続することができるという作用を有する。
【００１１】
以下、本発明の実施の形態について、図１から図３を用いて説明する。
【００１２】
図１は、本発明の実施の形態における液晶表示器取付接続装置の構成を示す図である。図１において液晶表示器取付接続装置は、液晶表示器１１と可撓性基板１２と導光板１５とが取付保持される保持部材１０、発光素子（ＬＥＤチップ）２２と露出された接点部２３とを備えたプリント基板２０、導電線入り弾性体３０および波形弾性体４０から構成されている。
【００１３】
また、可撓性基板１２の先端の方には接点部１３および位置決め用孔１４が設けられている。さらに、保持部材１０においては、底部に引掛け爪１７が、また、裏面に位置決め用ボス１６が設けられている。
【００１４】
次に本発明の実施の形態における液晶表示器取付接続装置の取り付けおよび接続の動作概要を説明する。図１において、まず、保持部材１０の表側においてその表面に導光板１５が載置され、次いでその上に、あらかじめ導電接着剤などで液晶表示素子の透明電極と接続された可撓性基板１２が組込まれた液晶表示器１１が保持部材１０に載置される。
【００１５】
その際に保持部材１０の側面において可撓性基板１２の横幅（短辺）に合わせて開口広さが設定されている箇所から可撓性基板１２の先端方向が突出するようにされ、さらに裏側で略コの字に折返される。
【００１６】
そして、予め波形弾性体４０が保持部材１０の裏面に載置されるようにされており、その波形弾性体４０の下に可撓性基板１２の先端に設けられた位置決め用孔１４が保持部材１０の裏側で位置決め用ボス１６に挿通されて固定される。したがって可撓性基板１２の先端に設けられた接点部１３はプリント基板２０の露出された接点部２３と対向するようにされる。
【００１７】
さらに、可撓性基板１２に設けられた接点部１３は、可撓性基板１２の短辺で左右均等になるようにされ、また、プリント基板２０の露出された接点部２３は、プリント基板２０上の短辺で左右均等になるようにされる。
【００１８】
次に、プリント基板２０の露出された接点部２３の上に導電線入り弾性体４０がこれも左右均等に配置される。そして、上記のように液晶表示器１１等が組込み保持された保持部材１０の引掛け爪１７がプリント基板２０の所定位置、すなわちプリント基板２０の長辺に設けられた凹部に懸架されるとともに上記した保持部材１０の位置決め用ボス１６がプリント基板２０の短辺に設けられた位置決め用孔２４に挿通される。
【００１９】
その結果、液晶表示器１１等が組込み保持された保持部材１０の裏側に折返された可撓性基板１２の先端に設けられた接点部１３とプリント基板２０の露出された接点部２３とが波形弾性体４０の弾性力により付勢される。波形弾性体４０の弾性力は力によって波高を変えるだけなので所定範囲において弾性力を均等に掛けることができるという特性を有するものである。
【００２０】
このようにして取付接続された液晶表示器取付接続装置を図２および図３に示す。すなわち、図２は図１の液晶表示器取付接続装置をＡ方向から裁断した断面図である。
【００２１】
図２から明らかなように、波形弾性体４０は保持部材１０と可撓性基板１２に間挿されており、さらにプリント基板２０の位置決め用孔に保持部材１０のボス１６が挿通されるとともに引掛け爪１７がプリント基板２０の所定位置に懸架され、可撓性基板に形成された接続端子とプリント基板とを導電線入り弾性体３０を介して取付接続されるのが分かる。
【００２２】
なお、図２において液晶表示器は、実際には、ＬＣＤ（液晶表示）素子を挟んでガラス板や透明電極が配置されており、これが導光板１５の上に載置され、一方保持部材１０の周辺上に設けられたクッション３５を介してカバー３６に載置された透明板の下に置かれる。
【００２３】
図３は、図１の液晶表示器取付接続装置をＢ方向から裁断した断面図である。図３から明らかなように、プリント基板２０に設けられた発光素子（ＬＥＤチップ）２２は保持部材１０の中に収納されて、発光素子（ＬＥＤチップ）２２から投射された放射光は保持部材１０に設けられた反射面を介して導光板１５に導かれているのが分かる。
【００２４】
また、可撓性基板１２の先端に設けられた接点部１３とプリント基板２０の接点部２３の上に載置された導電線入り弾性体３０とが波形弾性体４０による弾性力により適度な圧力により接触接続されている様子が理解できよう。
【００２５】
さらに、図２と同様、図３においても液晶表示器は、実際には、ＬＣＤ（液晶表示）素子を挟んでガラス板や透明電極が配置されており、これが導光板１５の上に載置され、一方保持部材１０の周辺上に設けられたクッション３５を介してカバー３６に載置された透明板の下に置かれる。
【００２６】
なお、図１ないし図３において可撓性基板１２に液晶表示制御に係る制御用ＬＳＩを搭載することについて図示していないが、これらの制御用ＬＳＩを搭載することはＴＡＢ（Ｔａｐｅ−Ａｕｔｏｍａｔｅｄ−Ｂｏｎｄｉｎｇ）などで公知であるので敢えて図示省略したものである。
【００２７】
【発明の効果】
上記のように構成された本発明における液晶表示器取付接続装置は、液晶表示器と、前記液晶表示器に接続されその先端部に接点部が設けられ後記する保持部材の外側で折返される可撓性基板と、前記液晶表示器を保持する保持部材と、前記保持部材が取付けられるとともに板上に接点部が露出されたプリント基板と、前記プリント基板上の接点部と前記可撓性基板の接点部とを接続する導電線入り弾性体と、前記保持部材と前記可撓性基板との間に間挿され前記保持部材と前記可撓性基板とを形成された波形形状の複数の山で押圧する波形弾性体とを備え、前記可撓性基板は前記保持部材の外側で折返されるとともに前記波形弾性体によって付勢されて前記プリント基板と前記可撓性基板とが前記導電線入り弾性体を介して電気的に接続されるものである。
【００２８】
これにより、保持部材と可撓性基板に間挿された波形弾性体で可撓性基板とプリント基板とを均質に付勢してプリント基板上の接点部と可撓性基板の接点部とを導電線入り弾性体を介して電気的に確実に接続することができるという効果を有する。
【図面の簡単な説明】
【図１】本発明の実施の形態における液晶表示器取付接続装置の構成を示す図、
【図２】本発明の実施形態における図１の液晶表示器取付接続装置をＡ方向から裁断した断面図、
【図３】本発明の実施形態における図１の液晶表示器取付接続装置をＢ方向から裁断した断面図、
【図４】従来の液晶表示器取付接続装置の斜視図、
【図５】従来の液晶表示器取付接続装置の側面断面図である。
【符号の説明】
１、１１  液晶表示器
２、１２  可撓性基板
３  バックライト
４  導光体
５、２２  発光素子（ＬＥＤチップ）
６  介在部材
７  導電接着材
８  接続端子
１０  保持部材
１３、２３  接点部
１４、２４  位置決め用孔
１５  導光板
１６  ボス
１７  引掛け爪
２０  プリント基板
３０  導電線入り弾性体
３５  クッション
３６  カバー
４０  波形弾性体
【図１】
0003594500.tif 000002
【図２】
0003594500.tif 000003
【図３】
0003594500.tif 000004
【図４】
0003594500.tif 000005
【図５】
0003594500.tif 000006